(57)【要約】【課題】押え金が布送りの障害となるのを防ぐことができるミシンのプレッサ装置を提供する。【解決手段】揺動軸１１のクランクアーム２６には水平軸２８が回動可能に軸支され、水平軸２８の突出端部にカラー２９が固着されると共に、押え台３４が連結されている。クランクアーム２６にはまたカラー２９より側方に突出する係止部３９を挟んで、その両側に位置する被係止部３７と取付部３８が突設され、水平軸２８は係止部３９が被係止部３７又は取付部３８に当たるまでの範囲内で回動するか、或いは取付部３８に捩込んだネジ４１により係止部３９が被係止部３７に押付けられて固定されることによりクランクアーム２６と一体化される。これにより押え台３４は揺動軸１１又は水平軸２８の周りを回動可能となる。【選択図】図３
2006042836.tif 000002
【特許請求の範囲】
【請求項１】
ミシン機枠に回転可能に軸支される揺動軸と、上記揺動軸に一端が固着されたクランクアームと、該クランクアームに連結手段により連結され、ミシンベッド上を布送り方向手前に向かって延びて先端に押え金を取付けた押え台と、該押え台を押し下げる押えバネ装置と、上記揺動軸の適所に軸支され、ペダルの踏み込み操作により揺動軸を回動するレバーとよりなり、ペダルの踏み込みによりクランクアームが揺動軸を中心に回動し、これにより上記押え台が押えバネ装置の作用に抗して上向きに旋回し、上記押え金を針板上に持上げることができるようにしたミシンのプレッサ装置において、上記連結手段がクランクアームの自由端に上記揺動軸と平行に設けた水平軸と、上記押え台の回動中心を上記揺動軸又は水平軸に切換えることができるクラッチ手段を有し、また上記揺動軸をペダルの踏込み操作によって回動する向きとは逆向きに回動するように付勢するバネ手段と、該バネ手段によって回動しようとする揺動軸の回動を定位置で止める阻止手段を有することを特徴とするミシンのプレッサ装置。
【請求項２】
上記クラッチ手段がクランクアームより対向して突設される被係止部及び取付部と、上記水平軸に固着のカラーより突設されて被係止部と取付部の間に介在する係止部と、上記取付部に捩込まれ、係止部を被係止部に押付けるネジよりなる請求項１記載のプレッサ装置。
【請求項３】
阻止手段が上記レバーの上向きの回動を上限位置で止めるストッパー手段と、揺動軸に固定され、上記レバーに係脱可能に係止する係止部を備えたカラーを有することを特徴とする請求項１又は２に記載されるミシンのプレッサ装置。
【請求項４】
レバーが、ミシン機枠の背面に沿って側方に延び、ミシン機枠に回転可能に支持された押上げレバーに連杆を介して連結され、ストッパー手段が、ミシン機枠に固定され、押上げレバーに上方より係合する突片を有することを特徴とする請求項３に記載のミシンのプレッサ装置。
【発明の詳細な説明】
【技術分野】
【０００１】
本発明は、ミシン、ことにオーバーロックミシンのプレッサ装置に関する。
【背景技術】
【０００２】
オーバーロックミシンのプレッサ装置は通常、ミシン機枠に回転可能に軸支される揺動軸と、該揺動軸の一端のクランクアームに軸支され、ミシンベッド上を布送り方向手前に向かって延設されて先端に押え金を取付けた押え台と、該押え台を押し下げる押えバネ装置と、上記揺動軸の他端に軸支され、ペダルの踏込み操作によって回動するアームと、該アームを一回転方向に付勢するバネよりなり、ペダルを踏込むと、上記アームがバネの作用に抗して揺動軸と共に回動し、これにより上記押え台が押えバネ装置の作用に抗して上向きに旋回し、押え金を針板上に持上げることができるようになっている。
【０００３】
この種プレッサ装置に関するものとして、下記特許文献１には、揺動軸他端に被係止部を揺動軸と平行をなして側方に突設したカラーを固着すると共に、アームをベルクランク状レバーとしてカラーに隣接して設け、ペダルの踏み込み操作によりベルクランク状レバーを回動させると、該レバーの一端がカラーの係止部を押し動かし、カラーと共に揺動軸を回動させるようになっている。そして布送り時に送り歯が針板上に出没するのに追随して押え金が上下方向に振動しても係止部がベルクランク状レバーの一端より離間した状態で揺動することにより、揺動軸の振動がベルクランク状レバーに伝わらないようにし、ベルクランク状レバーの振動慣性力によって生ずる押え金の振動の増大、すなわちジャンピング現象を抑えることができるようにしたものが開示されている。
【特許文献１】実公平６−１６６０４号
【発明の開示】
【発明が解決しようとする課題】
【０００４】
従来のミシンのプレッサ装置では、図１に示すように押え台１は、布送り方向Ｆへの布送り時の送り歯の上下動によりクランクアームとの軸支点Ａを支点として揺動し、押え台先端の押え金も針板上で上下に揺動するが、この動きは図示するように、斜め前上がりの動きとなるため、送り歯による布送りが押え金により邪魔され、上下生地間で前後方向のずれを生じさせ易い。
【０００５】
本発明は、布送り時に送り歯が針板上に出没するのに追随して押え金が上下方向に揺動しても、その揺動がペダルの踏込み操作によって回動するベルクランク状レバーに伝わらないようにし、これにより押え金のジャンピング現象を抑えることができるようにしたミシンのプレッサ装置において、押え金が布送りの障害となるのを防ぐことができるようにしたものである。
【課題を解決するための手段】
【０００６】
請求項１に係る発明は、ミシン機枠に回転可能に軸支される揺動軸と、上記揺動軸に一端が固着されたクランクアームと、該クランクアームに連結手段により連結され、ミシンベッド上を布送り方向手前に向かって延びて先端に押え金を取付けた押え台と、該押え台を押し下げる押えバネ装置と、上記揺動軸の適所に軸支され、ペダルの踏み込み操作により揺動軸を回動するレバーとよりなり、ペダルの踏み込みによりクランクアームが揺動軸を中心に回動し、これにより上記押え台が押えバネ装置の作用に抗して上向きに旋回し、上記押え金を針板上に持上げることができるようにしたミシンのプレッサ装置において、上記連結手段がクランクアームの自由端に上記揺動軸と平行に設けた水平軸と、上記押え台の回動中心を上記揺動軸又は水平軸に切換えることができるクラッチ手段を有し、また上記揺動軸をペダルの踏込み操作によって回動する向きとは逆向きに回動するように付勢するバネ手段と、該バネ手段によって回動しようとする揺動軸の回動を定位置で止める阻止手段を有することを特徴とする。    
【０００７】
ここで、揺動軸をペダルの踏込み操作によって回動する向きとは逆向きに回動するように付勢するバネ手段としては、例えば揺動軸に直接係合するか、或いは揺動軸と一体をなす部材、例えばクランクアームに係合して揺動軸を上記逆向きに回動するように付勢するバネを用いることができる。
【０００８】
クラッチ手段としては、例えばクランクアームに捩込まれ、水平軸に止着される止ネジ、水平軸に固着されるカラーに形成される係止部と、クランクアームに形成される被係止部を連結するクランプやネジ、或いはクランクアームに被係止部と取付部を対向して突設すると共に、水平軸に固着したカラーに形成される係止部を被係止部と取付部との間に介在させ、取付部に捩込まれるネジよりなるものなどが挙げられる。前者のクランクアームに捩込まれ、水平軸に止着される止ネジは、弛めることにより水平軸が回動可能となり、止ネジを捩じ込むと、水平軸がクランクアームに固定される。
【０００９】
係止部と被係止部を連結するクランプやネジは、両者を一体的に連結したり、両者の連結を解除することができるもので、連結を解除すると、押え台が水平軸を中心として回動可能となる。また後者の取付部に捩込まれるネジに関しては、ネジの捩込みによりネジの突出端で係止部が押込まれ、被係止部に押付けられて固定される。一方、ネジを弛める方向に回して後退させると、係止部は、被係止部とネジ先端或いは取付部（ネジを取付部内に引込めた場合）との間で回動可能となる。
【００１０】
請求項２に係る発明は、請求項１に係る発明のクラッチ手段がクランクアームにより対向して突設される被係止部及び取付部と、水平軸に固着のカラーより突設されて被係止部と取付部の間に介在する係止部と、上記取付部に捩込まれ、係止部を被係止部に押付けるネジよりなるもので、該ネジには、好ましくは該ネジの弛み止めのために固定ネジが止着される。
【００１１】
請求項３に係る発明は、請求項１又は２に係る発明において、阻止手段が上記レバーの上向きの回動を上限位置で止めるストッパー手段と、揺動軸に固定され、上記レバーに係脱可能に係止する係止部を備えたカラーを有することを特徴とする。
【００１２】
請求項４に係る発明は、請求項３に係る発明において、レバーが、ミシン機枠の背面に沿って側方に延び、ミシン機枠に回転可能に支持された押上げレバーに連杆を介して連結され、ストッパー手段が、ミシン機枠に固定され、押上げレバーに上方より係合する突片を有することを特徴とする。
【発明の効果】
【００１３】
請求項１に係る発明によると、揺動軸に固着されたクランクアームに水平軸が付設されており、連結手段によって押え台の回動中心が揺動軸又は水平軸に切換えられることとなる。したがって例えば図２に示すように、揺動軸３と水平軸４を上下に配置し、押え台１の回動中心を水平軸４に切換えた場合、押え金は図１に示すものと同様、布送り時、送り歯の上下動によって斜め前上がりの動きとなるが、押え台の回動中心を揺動軸に切換えた場合、押え台先端の押え金は、図２に示すように針板上でほぼ垂直方向に動き、送り歯による布送りの邪魔となることがないため、上下の生地間で前後方向のずれを生じることがない。また押え台の回動中心を水平軸に切換えた場合、布送り時には押え台と共に水平軸が回動するのみで、揺動軸はバネ手段と阻止手段により定位置で留められて固定状態となり、水平軸の回動が揺動軸やレバーに伝わらないため揺動慣性力による揺動の増大、すなわちジャンピング現象を抑えることができる。また揺動軸がミシン駆動時にフリー状態となってふら付くことによる騒音の発生も防止される。なお、押え金を針板上に持上げるため足踏ペダルを踏込むときには、押え金がバネ手段と押えバネ装置の作用に抗して持上げられる。
【００１４】
請求項２に係る発明によると、ネジを回動操作して係止部を被係止部に押え付け、カラーとクランクアームを一体化することにより押え台の回動中心を揺動軸に切換えることができ、またネジを後退させることにより、係止部を被係止部より一定量だけ離間させることが可能で、これにより係止部が被係止部に当たるまで水平軸が一定量回動可能となり、押え台の回動中心を水平軸に切換えることができる。
【００１５】
請求項３に係る発明においては、クラッチ手段により押え台の回動中心を揺動軸に切換えた場合、布送り時に揺動軸が揺動してもレバーはストッパー手段により上限位置に留められて固定状態となり、揺動軸の動きがレバーに伝わらないためジャンピング現象を抑えることができる。
【００１６】
請求項４に係る発明によると、レバーの上向きの回動規制がミシン機枠の直ぐそばで行われるようになり、レバーやストッパー手段についてミシン機枠からの突出量を抑えることができる。
【発明を実施するための最良の形態】
【００１７】
図３は、本発明に係るプレッサ装置を備えたオーバーロックミシンの左側面図、図４は上記プレッサ装置における、ペダル操作によって揺動軸１１を回動させる機構の分解斜視図、図５は、プレッサ装置の要部の背面図、図６は、その平面図、図７は、側面図を示すものである。
【００１８】
揺動軸１１は、図４に示されるように、ミシンの機枠に挿入されて止ネジ１２により固定されるブッシュ１３に回動可能に嵌挿され、その一端にはカラー１４がネジ１５にて抱き締めて固定され、カラー１４には係止部１４ａが側方に突出形成されている。
【００１９】
カラー１４は、ブッシュ１３に回動可能に軸支されたベルクランク状のレバー１７に隣接し、レバー１７は連杆２１を介して押上げレバー１９に連結され、押上げレバー１９はミシン機枠の背面に沿って側方に延びている。押上げレバー１９の基端はミシン機枠に段付ネジ１８にて回動可能に軸着されている。ブッシュ１３に巻装されたつる巻きバネ１６は、レバー１７を揺動軸１１の回りに一回転方向に付勢し、このバネ１６の作用によって押上げレバー１９は常に持ち上げる方向に付勢されている。
【００２０】
押上げレバー１９は図示しない足踏ペダル等とチェーン等によって連結され、足踏ペダル等の踏込みによって押上げレバー１９を押下げると、連杆２１を介してレバー１７がつる巻バネ１６の作用に抗して下向きに回動し、その途上でレバー一端の爪部１７ａがカラー１４の係止部１４ａに係合し、カラー１４を該カラー１４と一体の揺動軸１１と共に回動させるようになっている。なお、押上げレバー１９には係止孔１９ａが複数形成され、そのうちの一つに連杆２１が係止されるようになっており、連杆２１が係止する係止孔１９ａの位置を変えることにより、レバー１７の回動量が変えられるようになっている。
【００２１】
図中、２２はミシン機枠にネジ２３にて止着され、押上げレバー１９の回動範囲を規制するストッパー手段で、図８に示すように突片２２ａにより押上げレバー１９の上限位置を、ネジ２４で下限位置を規制できるようになっており、足踏みペダルの踏込み操作を行わない限り押上げレバー１９は、レバー１７を上向きに回動するように付勢するつる巻きバネ１６によって連杆２１を介して同じく上向きに回動するように付勢され、突片２２ａに係合して上限位置に留められるようになる。このストッパー手段は、係止部１４ａを備えたカラー１４と共に揺動軸１１の回動を定位置で止める阻止手段を構成するものである。  
【００２２】
揺動軸１１にはまた、他端にクランクアーム２６が固着され、このクランクアーム２６が図９に示されるように、一端をミシン機枠に係止し、他端をクランクアーム２６に係止したバネ手段である線バネ２７によって揺動軸１１の回りを図９の時計方向（図７の反時計方向）に回動するように付勢されている。この線バネは、クランクアーム２６に代えて上記カラー１４に係止し、揺動軸１１を図９の時計方向に回動するように付勢してもよい。
【００２３】
クランクアーム２６にはまた、その自由端に揺動軸１１と平行をなす水平軸２８が回動可能に軸支されている。
クランクアーム２６から突出する水平軸２８の端部に固着された案内片３２には、図３に示されるように、押え台３４の基部がピン３５にて連結され、押え台３４は、ピン３５を中心に回動可能であると共に押え台３４先端に押え金３３が固定されている。
【００２４】
水平軸２８や案内片３２と共にクランクアーム２６と押え台３４の連結手段を構成するクラッチ手段は、水平軸２８にネジ３１に抱き締めて固定され、突片状の係止部３９を側方に突設したカラー２９と、クランクアーム２６の自由端に一定の間隔を存して対向して突設され、カラー２９より側方に突出する係止部３９の両側に位置する突片状の被係止部３７及び取付部３８と、該取付部３８に捩込まれるネジ４１よりなる。このクラッチ手段はネジ４１の捩込みにより係止部３９を被係止部３７に押付けてカラー２９を固着した水平軸２８とクランクアーム２６を一体化するようになっており、またネジ４１を弛めて後退させると、クランクアーム２６と水平軸２８の一体化が解除され、係止部３９が被係止部３７とネジ先端又は取付部３８との間で動きうる範囲内でクランクアーム２６に対し水平軸２８が回動しうるようになっている。
【００２５】
図中、４２はネジ４１を固定する止ネジである。また図３に示す符号×は、押え台３４を押下げる押えバネ装置である。
【００２６】
本装置は以上のように構成され、止ネジ４２を弛めてネジ４１を振込み、係止部３９を被係止部３７に押付けて一体化させ、止ネジ４２によりネジ４１を固定した図７に示す状態では、クランクアーム２６と水平軸２８とカラー２９が一体化され、これにより押え台３４は揺動軸１１の周りを揺動可能となる。したがって押え台先端の押え金３３は、図２の揺動軸３の周りを揺動するものと同様、布送り時の送り歯の上下動によって針板上ではほぼ垂直方向に動き、送り歯による布送りの邪魔となることがない。この場合、押え台３４が布送り時の送り歯の上下動によって揺動しても揺動軸１１に固着されるカラー１４の係止部１４ａはレバー１７の爪部１７ａより離間して往復動するだけであり、レバー１７に揺動軸１１の揺動が伝わることはないため押え金のジャンピング現象を抑えることができる。
【００２７】
次に、止ネジ４２を弛めてネジ４１を取付部３８内に引込めた図１０に示す状態では、水平軸２８は係止部３９が被係止部３７と取付部３８に当たるまでの範囲内で回動可能となり、この範囲内で押え台先端の押え金３３は、水平軸２８の周りを揺動する。この場合には押え台３４が布送り時の送り歯の上下動によって揺動しても係止部３９は図１０に示すように、被係止部３７と取付部３８との間で揺動するだけでクランクアーム２６を揺動させることはなく、したがって揺動軸１１やレバー１７は揺動しないため押え金のジャンピング現象を抑えることができる。このとき押え台３４は、押えバネ装置Ｘのみで押下げられる方向に付勢され、揺動軸１１に固定されたカラー１４の係止部１４ａはクランクアーム２６に係止する線バネ２７の作用によってレバー１７一端の爪部１７ａに係合する。  
【００２８】
足踏ペダルの踏込みを行わない状態において、押上げレバー１９は、レバー１７を上向きに回動するように付勢するつる巻きバネ１６によって連杆２１を介して同じく上向きに回動するように付勢され、ストッパー手段２２の突片２２ａに当たって留められていることから、レバー１７も定位置に留まった状態に固定される。揺動軸１１は上述するように、線バネ２７によって図４及び図７の時計方向回りに回動するように付勢されていることから、カラー１４の係止部１４ａがレバー１７の被係止部１７ａに係合してレバー１７を持上げようとしても押上げレバー１９がストッパー手段２２の突片２２ａに係合して止められていることにより揺動軸１１は回動できず、この状態で固定状態となる。したがってミシン駆動中、揺動軸１１の軸心周りのふら付きがなく、揺動軸１１の軸心周りのふら付きによる振動も防止される。なお揺動軸の固定状態は、ペダルの踏込みやミシンの駆動によって実質的に解除されるようになる。
【００２９】
以上のように、ネジ４１を捩込んだり引止めたりすることにより押え台３４の回動中心は揺動軸１１又は水平軸２８に変化でき、これにより縫い目の形成不良や布送りの障害を防ぐことが可能となる。
【００３０】
なお、足踏ペダルの踏込みにより押え金３３を針板上に持ち上げるときには、図７及び図１０のいずれの場合であっても被係止部３７が係止部３９を押込んで水平軸２８を揺動軸１１の回りに図の反時計方向に回動させることにより押え金３３が押え台３４と共に持上げられる。
【図面の簡単な説明】
【００３１】
【図１】従来のプレッサ装置における布送り時の押え台の線図。
【図２】本発明に係るプレッサ装置における布送り時の押え台の線図。
【図３】オーバーロックミシンの側面図。
【図４】プレッサ装置の一部の分解斜視図。
【図５】プレッサ装置の要部の背面図。
【図６】同平面図。
【図７】水平軸を固定した場合の側面図。
【図８】押上げレバー１９のストッパーを示す図。
【図９】クランクアームの他側面図。
【図１０】水平軸を可動にした場合の側面図。
【符号の説明】
【００３２】
１、３４・・押え台
３、１１・・揺動軸
４、２８・・水平軸
１３・・ブッシュ
１４、２９・・カラー
１６・・つる巻バネ
１７・・ベルクランク状のレバー
１９・・押上げレバー
２２・・ストッパー
２６・・クランクアーム
３２・・案内片
３５・・ピン
３７・・被係止部
３８・・取付部
３９・・係止部
４１・・ネジ
４２・・止ネジ
【図１】
2006042836.tif 000003
【図２】
2006042836.tif 000004
【図３】
2006042836.tif 000005
【図４】
2006042836.tif 000006
【図５】
2006042836.tif 000007
【図６】
2006042836.tif 000008
【図７】
2006042836.tif 000009
【図８】
2006042836.tif 000010
【図９】
2006042836.tif 000011
【図１０】
2006042836.tif 000012